(57)【要約】【課題】収納位置を含む任意の位置に移動可能な表示部に於いて、外光を遮光する必要がない場合は、遮光フードを表示部の表示面に突出しない収納位置に収納することが可能であり、外光を遮光したい場合は、表示部が任意の位置に移動しても遮光フードを使用することを可能とする表示装置を提供すること。【解決手段】本体部と、アーム部を有している平行２軸の回動可能なヒンジで取り付いている表示部と、表示部に差し込む外光を遮光するフード部を備え、フード部は前記表示部に対し、回動可能な第１のフード軸と、第１のフード軸と連結された第１の遮光部と、第１の遮光部に対して回動可能な第２のフード軸と、第２のフード軸と連結された、第２の遮光部と、で構成され、第２の遮光部は、前記表示部の表示面を遮光する第１の位置と、第１のフード軸と前記第２のフード軸を中心に回転させることにより、表示部裏面の収納位置である第２の位置に移動することが可能であることを特徴とする。【選択図】図１
2016102844.tif 000002
【特許請求の範囲】
【請求項１】
本体部と、
前記本体部に対し、アーム部を有している平行２軸の回動可能なヒンジで取り付いている表示部と、
前記表示部に差し込む外光を遮光するフード部を備え、
前記フード部は前記表示部に対し、回動可能な第１のフード軸と、
前記第１のフード軸と連結された第１の遮光部と、
前記第１の遮光部に対して回動可能な第２のフード軸と、
前記第２のフード軸と連結された、第２の遮光部と、
で構成され、
前記第２の遮光部は、前記表示部の表示面を遮光する第１の位置と、前記第１のフード軸と前記第２のフード軸を中心に回転させることにより前記表示部裏面の収納位置である第２の位置に移動することが可能であることを特徴とする表示装置。
【請求項２】
前記フードは、前記第２の位置に移動した時、前記表示部裏面に於いて、前記ヒンジのアーム部と重ならないように配置されていることを特徴とする請求項１に記載の表示装置。
【請求項３】
前記第１のフード軸と前記第２のフード軸の軸間距離は前記表示部の厚みより長いことを特徴とする請求項１又は請求項２に記載の表示装置。
【請求項４】
前記フード部は、前記第２の遮光部に連結された回動可能な２つの第３のフード軸と、前記第３のフード軸に連結された２つの第３の遮光部を備え、前記第３のフード軸は前記第２の遮光部を挟む両辺に配置され、前記第３の遮光部は前記第３のフード軸に回動可能に軸支され、前記第１の位置に移動した時は前記２つの第３の遮光部を回動させることによって前記表示部の左右の面を外光より遮光することを特徴とする請求項１乃至請求項３の何れか一項に記載の表示装置。
【発明の詳細な説明】
【技術分野】
【０００１】
本発明は、表示装置に関する。
【背景技術】
【０００２】
従来、デジタルカメラの表示部を有する機器では、表示部に差し込む外光を遮光するための遮光フードを備えたものが提案されている（特許文献１参照）。カメラの表示部に差し込む外光を遮光することにより、表示部に表示された画像を見やすくすることができる。
【０００３】
しかし、カメラ本体に遮光フードが取り付けられている機器においては外光を遮光する必要がない場合においても遮光フードの使用を強制されていた。
【０００４】
そこで、外光を遮光する必要がない場合において遮光フードが邪魔にならないように収納可能にしている表示装置が提案されている（特許文献２参照）。
【先行技術文献】
【特許文献】
【０００５】
【特許文献１】特開２００４−１２０１０３号公報
【特許文献２】特開２０１３−１３７３６７号公報
【発明の概要】
【発明が解決しようとする課題】
【０００６】
しかしながら、上述の特許文献２では、遮光フードを使用する時の表示部の位置が本体に対して収納状態に位置する必要があり、表示部が回動している時には遮光フードを使用することができないことが課題としてあった。
【０００７】
そこで、本発明の目的は、収納位置を含む任意の位置に移動可能な表示部に於いて、外光を遮光する必要がない場合は、遮光フードを表示部の表示面に突出しない収納位置に収納することが可能であり、外光を遮光したい場合は、表示部が任意の位置に移動しても遮光フードを使用することを可能とする表示装置を提供することにある。
【課題を解決するための手段】
【０００８】
上記の目的を達成するために、本発明の表示装置は、本体部と前記本体部に対し、アーム部を有している平行２軸の回動可能なヒンジで取り付いている表示部と前記表示部に差し込む外光を遮光するフード部を備え、前記フード部は前記表示部に対し、回動可能な第１のフード軸と、前記第１のフード軸と連結された第１の遮光部と前記第１の遮光部に対して回動可能な第２のフード軸と、前記第２のフード軸と連結された、第２の遮光部で構成され、前記第２の遮光部は、前記表示部の表示面を遮光する第１の位置と前記第１のフード軸と前記第２のフード軸を中心に回転させることにより前記表示部裏面の収納位置である第２の位置に移動することが可能であることを特徴とする。
【発明の効果】
【０００９】
本発明によれば、収納位置を含む任意の位置に移動可能な表示部に於いて、外光を遮光する必要がない場合は、遮光フードを表示部の表示面に突出しない収納位置に収納することが可能であり、外光を遮光したい場合は、表示部が任意の位置に移動しても遮光フードを使用することを可能とする表示装置の提供を実現できる。
【図面の簡単な説明】
【００１０】
【図１】外観構成の主に前面構成を示す斜視図
【図２】外観構成の主に背面構成を示す斜視図
【図３】遮光フードを使用した時の主に背面構成を示す斜視図
【図４】パネルの主に前面構成を示す斜視図
【図５】パネルの主に背面構成を示す斜視図
【図６】第１の収納状態の断面図
【図７】パネルヒンジをオープンさせた背面構成を示す斜視図
【図８】図７の状態より遮光フードを矢印Ｃ方向へ移動させた斜視図
【図９】遮光フード使用状態を示す斜視図
【図１０】第２の遮光フード収納状態を示す斜視図
【発明を実施するための形態】
【００１１】
以下、本発明を実施するための形態を図面に基づいて説明する。
【００１２】
［実施例１］
図１、図２、図３を参照して本発明の第１の実施形態の全体構成について説明する。図１は本発明でビデオカメラに適用した場合の外観構成の主に前面構成を示す斜視図、図２は遮光フードを使用した時の構成を示す斜視図、図３は遮光フードを収納した時の主に背面構成を示す斜視図である。
【００１３】
カメラ本体１０１には、撮影レンズを取り付けるマウント部１０２、音声を録音するためのマイク１０３、静止画撮影の開始を指示するためのレリーズ釦１０４、撮影モードの変更や再生モードへの変更をするためのモードダイヤル１０５、撮影時ビデオカメラを保持するためのグリップ部１０６、撮像画像を表示するパネル１０７、ビデオカメラ本体１０１を起動する電源スイッチ１０８、撮影記録を保存するカード媒体を挿抜するためのカード蓋１０９、パネル１０７に差し込む外光を遮光する遮光フード１１０で構成される。
【００１４】
本構成では、遮光フード１１０を使用しない時にはパネル１０７の背面に収納可能としている。この位置の収納状態を第１の収納状態とする。また、第１の収納状態のカメラの背面外観構成を図３に示す。
【００１５】
次に図４、図５を参照してパネル１０７と遮光フード１１０の構成について説明する。図４はパネル１０７の前面(図３に示すカメラの背面)構成を示す斜視図である。図５はパネル１０７の主に背面構成を示す図であり、図４、図５とも遮光フード１１０が第１の収納位置にある斜視図である。図４に示すようにパネル１０７は撮影した映像を表示する表示部２０１とパネル１０７を回転可能に保持する第１パネルヒンジ軸２０２と第２パネルヒンジ軸２０３、第１パネルヒンジ軸２０２と第２パネルヒンジ軸２０３の間を連結するパネルヒンジアーム部２０４によって構成される。
【００１６】
図５に示すように遮光フード１１０は回転可能に保持する第１フード軸２０５と第２フード軸２０６と第３フード軸ａ２０７と第３フード軸ｂ２０８の４つの回転軸部と、第１フード軸２０５と第２フード軸２０６の間に形成される第１遮光部２０９、第２フード軸２０６と第３フード軸ａ２０７、第３フード軸ｂ２０８の間に形成され、遮光フード１１０使用時には主にパネル１０７上面を遮光する役割を持つ第２遮光部２１０、第３フード軸ａ２０７、第３フード軸ｂ２０８にそれぞれ取り付けられており、主にパネル１０７の側面を遮光する役割を持つ第３遮光部ａ２１１と第３遮光部ｂ２１２の４つに分割された遮光部によって構成されている。
【００１７】
図６〜図１０を参照して遮光フード１１０を第１の収納位置から遮光位置へ移動させた後、第２の収納位置へ移動させる手順を説明する。図６は第１の収納状態の断面図、図７はパネル１０７を本体部に対して開いた状態、図８は遮光フード１１０を矢印Ｃ方向へと回転させた図、図９は図８の状態よりパネルを収納させ、パネル１０７側面を遮光する第３遮光部ａ２１１と第３遮光部ｂ２１２を遮光位置に移動させた図、図１０は第２の遮光フード収納状態である。
【００１８】
まず、図６の断面図の様に第１の収納位置にパネル１０７が位置している。この時、パネルヒンジアーム部２０４と第２遮光部２１０は収納位置であるパネル１０７の裏面上の面内で重ならないように配置されている。こうすることで第一の収納位置にした時の薄型化を達成している。また、第１フード軸２０５、第２フード軸２０６の軸間距離はパネル１０７の厚みｔよりも長いことで第１の収納位置に収まる事を可能としている。次に図７の様に第１の収納位置より第２パネルヒンジ軸２０３を中心にＡ方向へ回転させた後、第１パネルヒンジ軸２０２をＢ方向へ回転させる。
【００１９】
次に図８の様に遮光フード１１０をパネル１０７背面より前面側へと第１フード軸２０５を中心にＣ方向へ回転させる。次に図７で回転させた向きと逆に第２パネルヒンジ軸２０３と第１パネルヒンジ軸２０２を回転させることで、再びパネルヒンジを収納させ、図９の様に第３フード軸ｂ２０８を中心にＥ方向へ回転させて第３遮光部ｂ２１２を遮光位置へ移動させる。第３遮光部ａ２１１についても同様に第３フード軸ａ２０７を中心に回転し、遮光位置へ移動させる。
【００２０】
この遮光状態を取ることで上面、左右面より表示部２０１に差し込む外光を遮光することが可能となり、表示部２０１に表示された画像を見やすくすることができる。また、遮光フード１１０はパネル１０７に対して取り付いているため、パネル１０７をカメラ本体１０１に対して回動させた時にも遮光の役割を果たすことができる。
【００２１】
図１０は図９の状態より第１フード軸２０５を中心に矢印Ｆ方向へと遮光フード１１０を回転させた状態の図である。この位置は遮光フード１１０の第２の収納位置であり、ビデオカメラ不使用時に、パネル１０７の表示面２０１を遮光フード１１０で覆うような形で保護する役割を持つ。
【００２２】
以上の構成にすることにより、ビデオカメラ使用時に外光を遮光する必要がある場合は遮光フードを遮光位置に移動させることで表示面の上面、左右面を遮光することが可能であり、ビデオカメラ使用時に外光を遮光する必要がない場合は遮光フードを第１の収納位置に収めることで遮光フードを撮影の邪魔にならない位置に収める事が可能である。また、ビデオカメラを使用せず、表示部を傷つける恐れがある場合などには遮光フードを第２の収納位置に配置することにより表示部を保護することが可能である。
【００２３】
上記実施の形態では、本発明の好ましい実施形態について説明したが、本発明は上記実
施形態に限定されるものではなく、本発明の要旨の範囲内で種々の変形及び変更が可能である。
【符号の説明】
【００２４】
１０１  カメラ本体、１０２  マウント部、１０３  マイク、１０４  レリーズ釦、
１０５  モードダイヤル、１０６  グリップ部、１０７  パネル、
１０８  電源スイッチ、１０９  カード蓋、１１０  遮光フード、２０１  表示部、
２０２  第１パネルヒンジ軸、２０３  第２パネルヒンジ軸、
２０４  パネルヒンジアーム部、２０５  第１フード軸、２０６  第２フード軸、
２０７  第３フード軸ａ、２０８  第３フード軸ｂ、２０９  第１遮光部、
２１０  第２遮光部、２１１  第３遮光部ａ、２１２  第３遮光部ｂ
【図１】
2016102844.tif 000003
【図２】
2016102844.tif 000004
【図３】
2016102844.tif 000005
【図４】
2016102844.tif 000006
【図５】
2016102844.tif 000007
【図６】
2016102844.tif 000008
【図７】
2016102844.tif 000009
【図８】
2016102844.tif 000010
【図９】
2016102844.tif 000011
【図１０】
2016102844.tif 000012